(57)【要約】【課題】  ウェイトや固定具や形状維持具なしにＰＯＰ広告が可能なバルーン型広告／装飾装置を提供する。【解決手段】  ＰＯＰ装置１００は，内部に気体が給気された膨張状態において所定の形状を形成し内部から気体が排出された収縮状態において折り畳み可能な袋状本体１１０と，袋状本体の下部に取り付けられて袋状本体の内部に気体を給気可能な給気装置１２０と，給気装置と収縮状態の袋状本体を収容可能であり膨張状態の袋状本体の下方周囲をその膨張力に抗して支持可能な支持収容容器１３０とから構成される。使用時には，特段の構成なしに，給気装置がウェイトとして機能し，支持収容容器により形状が維持される。【選択図】  図３
2005258444.tif 000002
【特許請求の範囲】
【請求項１】
内部に気体が給気された膨張状態において所定の形状を形成し，内部から気体が排出された収縮状態において折り畳み可能な袋状本体と；
前記袋状本体の下部に取り付けられて，前記袋状本体の内部に気体を給気可能な給気装置と；
前記給気装置と前記収縮状態の袋状本体を収容可能であり，前記膨張状態の袋状本体の下方周囲をその膨張力に抗して支持可能な支持収容容器と；
を備えたことを特徴とする広告／装飾装置。
【請求項２】
前記袋状本体は，前記給気装置に取り付けられる下部本体と，膨張状態において所定の形状を形成する上部本体とから構成され，前記上部本体と前記下部本体とは着脱自在であることを特徴とする，請求項１に記載の広告／装飾装置。
【請求項３】
前記支持収容容器には，給気口が形成されていることを特徴とする，請求項１または２に記載の広告／装飾装置。
【請求項４】
前記給気口には，前記給気装置に対する電源供給系が配されることを特徴とする，請求項３に記載の広告／装飾装置。
【請求項５】
さらに，使用時に前記支持収容容器を覆うスカートを備えたことを特徴とする，請求項１〜４のいずれかに記載の広告／装飾装置。
【請求項６】
前記支持収容容器は，前記収縮状態の前記袋状本体の収容時よりも，前記膨張状態の前記袋状本体の支持時に，高さを高くすることが可能であることを特徴とする，請求項１〜５のいずれかに記載の広告／装飾装置。
【請求項７】
前記支持収容容器は，前記袋状本体の収容時に折り畳んで蓋として機能させることが可能な複数の蓋部を備え，前記袋状本体の膨張時には，前記蓋部を立設させて蓋部同士を固定することが可能であることを特徴とする，請求項６に記載の広告／装飾装置。
【請求項８】
内部に気体が給気された膨張状態において所定の形状を形成し内部から気体が排出された収縮状態において折り畳み可能な袋状本体と，前記袋状本体の下部に取り付けられて前記袋状本体の内部に気体を給気可能な給気装置とから成る広告／装飾媒体の設置方法であって，
前記広告／装飾媒体の支持収容容器に，前記給気装置と前記収縮状態の袋状本体を収容し，前記給気装置により前記袋状本体の内部に気体を給気し，前記膨張状態の袋状本体の下方周囲をその膨張力に抗して支持することにより，前記膨張状態の袋状本体の所定形状を形成せしめることを特徴とする，広告／装飾媒体の設置方法。
【発明の詳細な説明】
【技術分野】
【０００１】
本発明は，広告や装飾の用途に用いられるバルーン型広告／装飾装置および広告／装飾媒体の設置方法に関する。
【背景技術】
【０００２】
従来，ＰＯＰ広告（Ｐｏｉｎｔ  Ｏｆ  Ｐｕｒｃｈａｓｅ  Ａｄｖｅｒｔｉｓｉｎｇ）や装飾の用途に用いられる広告／装飾装置が知られている。典型的な広告／装飾装置１０は，図９に示すように，内部に気体が給気された膨張状態において所定の形状を形成し，内部から気体が排出された収縮状態において折り畳み可能な袋状本体１２から構成されている。袋状本体１２の表面には，広告や装飾１４が施されている。使用時には，送風機などの適当な給気装置（不図示）を用いて，袋状本体１２の内部に気体を給気して膨張させ，所定の形状，例えば，円筒形状，動物やサンタクロースなどのフィギュア形状その他の広告や装飾効果のある形状を形成せしめて，ＰＯＰ広告や装飾を行っていた。
【発明の開示】
【発明が解決しようとする課題】
【０００３】
ところが，従来の広告／装飾装置１０では，膨張状態にある袋状本体１２を固定するためにウェイト１６や固定具１８を取り付けなければならなかった。さらに，宣伝効果を高めるために高さや嵩のある媒体を設置する場合には，膨張時の形状を保持するために，形状保持具を用いる必要があった。形状保持具の例としては，袋状本体１２の所定位置にフック１８ａを取り付け，そのフックに紐１８ｂをかけて，袋状本体１２の形状を維持するとともに固定する構成がある。他の形状保持具の例としては，袋状本体１２の内部に複数の帯状の芯２０を取り付け，その帯状の芯２０を袋状本体１２の内部において交差させるなどして，袋状本体１２の形状を維持するとともに固定する構成がある。
【０００４】
しかしながら，従来の構成では，設置作業が煩雑であり，また部品点数も増加し，コスト高になるという問題があった。また，使用しない時には，袋状本体の収容スペースも確保せねばならず，また収容作業も煩雑であった。
【０００５】
本発明は，従来の広告／装飾装置が有する上記問題点に鑑みてなされたものであり，部品点数を軽減することが可能であり，かつ設置作業および収容作業が容易であり，さらに，特段の支持具を準備せずとも本体の形状を保持することが可能な新規かつ改良された広告／装飾装置および広告／装飾媒体の設置方法を提供することを課題とする。
【課題を解決するための手段】
【０００６】
上記課題を解決するために，本発明によれば，内部に気体が給気された膨張状態において所定の形状を形成し内部から気体が排出された収縮状態において折り畳み可能な袋状本体と，前記袋状本体の下部に取り付けられて前記袋状本体の内部に気体を給気可能な給気装置と，前記給気装置と前記収縮状態の袋状本体を収容可能であり，前記膨張状態の袋状本体の下方周囲をその膨張力に抗して支持可能な支持収容容器とを備えたことを特徴とする広告／装飾装置が提供される。
【０００７】
袋状本体は，ＰＯＰ広告または装飾の主要部をなすものであり，膨張時にＰＯＰ広告や装飾の機能を有するように，表面に広告や装飾が施される。またＰＯＰ広告や装飾においては形状も重要な要素であるため，袋状本体は，膨張時には，所定の形状，例えば，円筒形状，動物やサンタクロースなどのフィギュア形状その他の広告や装飾効果のある形状が形成されるように構成される。
【０００８】
給気装置は，袋状本体の内部に，空気やヘリウムガスなどの気体を給気可能な装置であればよく，ファンなどの送風装置やボンベなどから構成することができる。
【０００９】
支持収容容器は，本発明の中核をなす要素であり，機能としては，前記給気装置と前記収縮状態の袋状本体を収容可能であること，および，前記膨張状態の袋状本体の下方周囲をその膨張力に抗して支持可能であることが必要である。
【００１０】
上記構成によれば，収容時には，袋状本体を収縮させ給気装置とともに支持収容機容器に簡単にかつコンパクトに収納することができる。また，使用時には，使用箇所に支持収容容器を設置して，支持収容容器に収納された状態の給気装置を駆動するだけで，袋状本体を膨張させて，ＰＯＰ広告や装飾機能を発揮させることができる。その際に，給気装置自体がウェイトとして機能するので，別途のウェイトや固定具を要しない。また，収容支持容器自体が膨張状態の袋状本体の下方周囲をその膨張力に抗するように作用して，袋状本体の形状が嵩高であっても，形状を維持することが可能なので，別途の形状維持具を要しない。
【００１１】
また，前記袋状本体は，前記給気装置に取り付けられる下部本体と，膨張状態において所定の形状を形成する上部本体とから構成され，前記上部本体と前記下部本体とは着脱自在であるように構成することができる。着脱機構としては，例えば，ジッパーやマジックテープ（登録商標）などを採用することができる。
【００１２】
かかる構成によれば，必要に応じて，袋状本体を交換することが可能なので，比較的高価な給気装置を使い回しすることが可能である。
【００１３】
また，前記支持収容容器に，袋状本体内部への給気を効率的に行わせるための給気口を形成してもよい。この給気口に，前記給気装置に対する電源供給系を配すれば，給気口と電源供給系を共通化することができ，装置のコンパクト化が図れる。
【００１４】
さらに，使用時に前記支持収容容器を覆うスカートを設ければ，支持収容容器についても，上部の袋状本体と同様に広告や装飾機能を持たせることができる。
【００１５】
前記支持収容容器は，前記収縮状態の前記袋状本体の収容時よりも，前記膨張状態の前記袋状本体の支持時に，支持部の高さを高くすることが可能であるように構成してもよい。かかる構成によれば，より確実に，袋状本体を支持して形状の維持を行うことができる。支持部の高さを可変とさせる構造としては，例えば，前記支持収容容器を，前記袋状本体の収容時に折り畳んで蓋として機能させることが可能な複数の蓋部を備え，前記袋状本体の膨張時には，前記蓋部を立設させて蓋部同士を固定するように構成すればよい。
【００１６】
さらに，本発明の別の観点によれば，内部に気体が給気された膨張状態において所定の形状を形成し内部から気体が排出された収縮状態において折り畳み可能な袋状本体と，前記袋状本体の下部に取り付けられて前記袋状本体の内部に気体を給気可能な給気装置とから成る広告／装飾媒体の設置方法が提供される。この設置方法は，前記広告／装飾媒体の支持収容容器に，前記給気装置と前記収縮状態の袋状本体を収容し，前記給気装置により前記袋状本体の内部に気体を給気し，前記膨張状態の袋状本体の下方周囲をその膨張力に抗して支持することにより，前記膨張状態の袋状本体の所定形状を形成せしめることを特徴としている。
【００１７】
かかる構成によれば，従来のＰＯＰ広告に用いられた袋状本体を，特段のウェイトや固定具を設けずとも，さらには，形状を維持するための特段の構造を採用せずとも，確実に所定の形状を維持させて所定場所に設置することができる。
【発明の効果】
【００１８】
本発明に基づく広告／装飾装置および広告／装飾媒体の設置方法によれば，部品点数を軽減することが可能であり，かつ設置作業および収容作業が容易となる。さらに，簡単な構造で，ウェイトや固定具なのどの特段の支持具を準備せずとも本体の形状を保持することが可能となる。
【発明を実施するための最良の形態】
【００１９】
以下添付図面を参照しながら，本発明の好適な実施形態について説明する。なお，以下の説明および図面において，実質的に同一の機能構成を有する要素については同一の符号を付することにより重複説明を省略することにする。
【００２０】
まず，図１〜図３を参照しながら，本実施の形態にかかる広告／装飾装置（以下，ＰＯＰ装置という。）１００の概略構成について説明する。なお，図１は，ＰＯＰ装置１００の収容時の平面図であり，図２は，ＰＯＰ装置１００の収容時の断面図であり，図３は，ＰＯＰ装置１００の使用時（膨張時）の断面図である。
【００２１】
本実施の形態にかかる広告／装飾装置１００は，袋状本体１１０と，給気装置１２０と，支持収容容器１３０とから主に構成されている。
【００２２】
袋状本体１１０は，内部に気体が給気された膨張状態において所定の形状を形成し，内部から気体が排出された収縮状態において折り畳み可能な材質，例えばナイロンや気密性の高い不織布などから構成される。袋状本体１１０は，ＰＯＰ広告または装飾の主要部をなすものであり，膨張時にＰＯＰ広告や装飾の機能を有するように，表面に広告や装飾が施される。またＰＯＰ広告や装飾においては形状も重要な要素であるため，袋状本体１１０は，膨張時には，所定の形状，例えば，円筒形状，動物やサンタクロースなどのフィギュア形状その他の広告や装飾効果のある形状が形成されるように構成される。図３に示す例では，袋状本体１１０は，膨張時にトーテムポール形状を有し，その表面にＰＯＰ広告が表示されている。なお，袋状本体１１０の形状やその表面に配されるＰＯＰ広告や装飾は，用途に応じて，さまざまなものを採用することが可能であるが，本発明は，特に，背丈が大きく，膨張時に形状を維持しにくい形状のものに好適に適用可能である。
【００２３】
給気装置１２０は，前記袋状本体１１０の下部に取り付けられて前記袋状本体の内部に気体を給気可能なファンなどの送風装置や小型のボンベなどから構成される。給気装置１２０から袋状本体１１０に給気される気体は，例えば，空気やヘリウムガスなどの不活性ガスである。なお，符号１２２は，給気装置１２０に対する電源を供給するコンセントおよびコードなどから成る電源供給系である。また図示の給気装置１２０は，側面側より気体を取り入れる構成であるが，底面側より気体を取り入れる構成とすることもできる。
【００２４】
支持収容容器１３０は，簡単な構造のものでよく，例えば段ボール箱などから構成することができる。支持収容容器１３０は，図１および図２に示すように，前記給気装置１２０と前記収縮状態の袋状本体１１０を収容可能な寸法を有している収容部１３２と，蓋部１３４とから構成されている。さらに，収容部１３２の下方には，開口部１３６が形成されている。開口部１３６は，給気装置１２０の電源供給系１２２のコード類を出し入れすることができるとともに，給気装置１２０の駆動時には，空気取入口としても機能する。なお図示の例では，開口部を支持収容容器１３０の側面に設けているが，支持収容容器１３０の底面に開口部を設けることも可能である。
【００２５】
支持収容容器１３０は，袋状本体１１０の収容時（非使用時）には，図２に示すように，袋状本体１１０の内部から気体を抜いて収縮させ，蓋部１３４を閉じ，さらに，開口部１３４から電源供給系１２２を収容し，コンパクト化して収納性を高めることができる。
【００２６】
袋状本体１１０の使用時には，支持収容容器１３０の開口部１３６から電源供給系１２２を引き出し，図３に示すように，給気装置１２０を駆動させて，袋状本体１１０に空気を供給して所定形状が形成されるまで膨張させる。その際に，本実施の形態によれば，袋状本体１１０の下方に取り付けられた給気装置１２０がウェイトとして機能し，特段のウェイトや固定具を必要としない。また，膨張状態の袋状本体１１０の下方周囲１１２は，支持収容容器１３０により，その膨張力に抗して支持される。したがって，本実施の形態によれば，別途の形状支持具などを用いずとも，膨張状態の袋状本体１１０の形状が維持される。ただし，支持収容容器１３０は，袋状本体１１０の膨張時にその下方周囲の支持部位１１２をその膨張力に抗して支持して，袋状本体１１０の所定形状を維持できるに十分な高さを有している必要がある。
【００２７】
支持収容容器１３０の高さに関しては，少なくとも，収縮時の袋状本体１１０と給気装置１２０を収容できる高さであれば，膨張時の袋状本体１１０の形状を維持可能である。すなわち，膨張時の袋状本体１１０の背丈が高くなり嵩だかになれば，袋状本体１１０の収縮時の大きさも大きくなり，それに応じて，支持収容容器１３０の容積も大きくする必要がある。その際に，袋状本体１１０の膨張時にその下方周囲１１２において，その膨張力に抗して袋状本体１１０を支持するためには，支持収容容器１３０の容積の拡大を高さ方向への拡大により調整する必要があり，高さ方向への拡大により，支持収容容器１３０の形状維持機能を十分に確保できる。
【００２８】
ただし，支持収容容器１３０の高さに関しては，袋状本体１１０の収容時と膨張支持時とで，可変の構造とすることもできる。すなわち，支持収容容器１３０は，収縮状態の袋状本体１１０の収容時よりも，膨張状態の袋状本体１１０の支持時に，支持部の高さを高くすることが可能であるように構成してもよい。かかる構成によれば，より確実に，袋状本体を支持して形状の維持を行うことができる。
【００２９】
支持部の高さを可変とさせる構造としては，例えば，支持収容容器１３０を，図５に示すように，袋状本体１１０の収容時には，折り畳んで蓋として機能させることが可能な蓋部１３４を，袋状本体１１０の膨張時に，立設させて蓋部同士を固定するように構成すればよい。その際に，蓋部同士の固定具として支持バンド１３８などを用いることが可能である。
【００３０】
また，支持収容容器１３０の高さを可変とする構造としては，例えば，図６に示すように，支持収容容器２３０を，相互に摺動する外箱２３２と内箱２３４から構成し，収容時には，内箱２３４を外箱２３２に収容し，使用時には，内箱２３４を外箱２３２から引き出して，外箱２３２の内周面に形成された溝２３６に，内箱２３４の外周面に掲載されたバネフック２３８を係合させて，固定する構造を採用することも可能である。
【００３１】
なお，支持収容容器１３０が段ボール箱などから構成された場合には，袋状本体１１０を膨張させてＰＯＰ広告を行う際に，外見を損なう場合がある。そのような場合には，図４に示すように，支持収容容器１３０を覆うスカート１１４により，使用時に支持収容容器１３０自体を覆い，ＰＯＰ広告と一体化する構成を採用することもできる。なお，スカート１１４は，非使用時には，支持収容容器１３０に収容することができる。なお，スカート１１４に開口を設けて，袋状本体１１０への気体の供給が妨げられないように構成することも可能である。
【００３２】
また，袋状本体１１０を，図７に示すように，給気装置１２０に取り付けられる下部本体１１６と，膨張状態において所定の形状を形成する上部本体１１８ａ，１１８ｂとから構成することができる。その際に，上部本体１１８ａ，１１８ｂと下部本体１１６とは着脱自在であるように構成することができる。着脱機構１１９としては，例えば，ジッパーやマジックテープなどを採用することができる。
【００３３】
かかる構成によれば，必要に応じて，図７に示すように，ＰＯＰ機能を果たす袋状本体１１０の上部本体１１８ａ，１１８ｂを適宜交換することが可能なので，比較的高価な給気装置を使い回しすることが可能である。
【００３４】
以上，袋状本体１１０と，給気装置１２０と，支持収容容器１３０とが一体的に構成される実施形態について説明されたが，本発明によれば，袋状本体１１０と給気装置１２０から成る広告／装飾媒体（以下，ＰＯＰユニットという。）２１０と，支持収容容器２２０とを別体に構成することも可能である。
【００３５】
かかるＰＯＰユニット２１０を設置する場合には，まず，収縮状態のＰＯＰユニット２１０を適当な支持収容容器２２０に収容し，ＰＯＰユニット２１０の給気装置１２０により袋状本体１１０の内部に気体を給気し，先の実施形態と同様に，支持収容容器２２０により膨張状態の袋状本体１１０の下方周囲１１２をその膨張力に抗して支持させることにより，膨張状態の袋状本体１１０の所定形状を形成せしめる。
【００３６】
かかる構成によれば，従来のＰＯＰ広告に用いられたＰＯＰユニットを，特段のウェイトや固定具を設けずとも，さらには，形状を維持するための特段の構造を採用せずとも，支持収容容器２２０を準備するだけで，確実に所定の形状を維持させて所定場所に設置することができる。ただし，支持収容容器２３０は，先の実施形態と同様に，袋状本体１１０の膨張時にその下方周囲の支持部位１１２をその膨張力に抗して支持して，袋状本体１１０の所定形状を維持できるに十分な高さを有している必要がある。
【００３７】
以上添付図面を参照しながら，本発明の好適な実施形態について説明したが，本発明はかかる例に限定されないことは言うまでもない。当業者であれば，特許請求の範囲に記載された技術的思想の範疇内において，各種の変更例または修正例に想到し得ることは明らかであり，それらについても当然に本発明の技術的範囲に属するものと了解される。
【産業上の利用可能性】
【００３８】
本発明は，気体を供給して膨張させることによりＰＯＰ広告や装飾が可能な広告／装飾装置に適用することができる。
【図面の簡単な説明】
【００３９】
【図１】本発明の実施の一形態にかかるＰＯＰ装置の平面図である。
【図２】本発明の実施の一形態にかかるＰＯＰ装置の収縮時（非使用時）の断面図である。
【図３】本発明の実施の一形態にかかるＰＯＰ装置の膨張時（使用時）の断面図である。
【図４】本発明の実施の一形態にかかるＰＯＰ装置にスカートを取り付けた場合の断面図である。
【図５】本発明の実施の一形態にかかるＰＯＰ装置の収容支持容器を高さ調整可能に構成した場合の断面図である。
【図６】本発明の実施の一形態にかかるＰＯＰ装置の収容支持容器を高さ調整可能に構成した場合の別の実施形態にかかる断面図である。
【図７】本発明の実施の一形態にかかるＰＯＰ装置の袋状本体部分を交換可能に構成した場合の別の実施形態にかかる断面図である。
【図８】本発明の実施の一形態にかかるＰＯＰユニットの設置方法を示す説明図である。
【図９】従来のＰＯＰ装置を示す説明図である。
【符号の説明】
【００４０】
１００  ＰＯＰ装置
１１０  袋状本体
１１２  下方周囲（支持部位）
１２０  給気装置
１２２  電源供給系
１３０  支持収容容器
１３２  収容部
１３４  蓋部
１３６  開口
【図１】
2005258444.tif 000003
【図２】
2005258444.tif 000004
【図３】
2005258444.tif 000005
【図４】
2005258444.tif 000006
【図５】
2005258444.tif 000007
【図６】
2005258444.tif 000008
【図７】
2005258444.tif 000009
【図８】
2005258444.tif 000010
【図９】
2005258444.tif 000011